(57)【要約】【課題】可変速対応のモータにおいて、回転数によらず静音化、低振動化を図ることを目的とする。【解決手段】ブラケット４の下方にはウエイト８がバネ９にて取り付けられ、さらにウエイト８とブラケット４とが、自在に動くように接離状態にし、モータから発生した振動に対して、ウエイト８を自由振動させることにより、発生振動量を吸収し、低騒音、低振動化が図れるモータが得られる。【選択図】　図１
2004015954.tif 000002
【特許請求の範囲】
【請求項１】
軸受を保持するブラケットを有するステータと前記軸受を介して回転自在に軸支されたロータとを備え、前記ブラケットに重り部材をこの重り部材と前記ブラケットとが相対的に変位可能にバネ性部材にて押接してなるモータ。
【請求項２】
前記モータの回転中心軸上でかつ、反出力側ブラケット底部に重り部材を配置した請求項１記載のモータ。
【請求項３】
重り部材には複数の突起または溝が設けられるとともに、重り部材の突起または溝の数がロータ極数とステータスロット数およびそれらの倍数と一致しないことを特徴とする請求項１から請求項２のいずれか１項に記載のモータ。
【請求項４】
前記突起または溝をブラケットに形成したことを特徴とする請求項１から請求項３のいずれか１項に記載のモータ。
【発明の詳細な説明】
【０００１】
【発明の属する技術分野】
本発明は機器に組み込んだ場合、回転数によらず静音化、低振動化することを目的としたモータに関するものである。
【０００２】
【従来の技術】
従来、可変速回転に対応したモータ構造例としては、特開平９−２５９５１６号公報や特開平１０−３７４２号公報に記載されたものが知られている。図２に従来のモータの構造を示す。図２においてシャフト３１は軸受３２および軸受３３に回転自在に軸支され、さらに、軸受３２および軸受３３はブラケット３４に挿入固定されている。ブラケット３４の外周部には巻線が施されたステータ３５が配置され、さらにステータ３５の外周に対向して、マグネット３６がフレーム３７に固定され、さらに、フレーム３７はシャフト３１に固定され、ステータ３５とマグネット３６で回転力を発生させている。また、フレーム３７には記録媒体であるディスク（図示しない）が載置される突起３８が設けられている。さらに、フレーム３８の上方にはクランプマグネット３９が配置され、ディスクを吸引固定している。
【０００３】
【発明が解決しようとする課題】
しかしながら、前記従来の構成では例えばモータ単体での振動・騒音レベルが何ら異常なき状態であっても、機器に組み込んだ場合、モータが回転することにより発生する振動成分が、機器が持つ固有振動数と一致するような場合、機器の騒音の増大や異常振動を引き起こすようなことがあった。通常、このような場合、モータ発生振動を小さくしたり、モータと機器との振動数をずらす等の対策を行うが、解析・検証に非常に時間がかかるのが一般的である。また、モータを可変速等の複数速で使う場合にはさらなる注意を必要とするのは言うまでもない。事実試作評価時に良好な結果が得られたとしても、モータと機器の量産金型が完成した後に再度確認およびフィードバックを必要とし、極端な場合、金型の修正が必要になる場合すらあり、コストや時間がかかるという課題があった。
【０００４】
本発明は、このような従来の課題を解決するものであり、機器に組み込んだ場合での静音化、低振動化が図れるモータを提供することを目的とする。
【０００５】
【課題を解決するための手段】
前記課題を解決するために本発明は、軸受を保持するブラケットを有するステータと前記軸受を介して回転自在に軸架されたロータとを備えた構成において、前記ブラケットにバネ性部材にて重り部材を押さえつけるとともに、前記重り部材とブラケットとが、自在に動くように接離状態にしたものである。
【０００６】
これにより、モータから発生した振動は、自由振動可能な重り部材で吸収されるためモータおよび機器の静音化、低振動化が図れる。
【０００７】
【発明の実施の形態】
本発明の請求項１に記載の発明は、軸受を保持するブラケットを有するステータと前記軸受を介して回転自在に軸支されたロータとを備え、前記ブラケットに重り部材をこの重り部材と前記ブラケットとが相対的に変位可能にバネ性部材にて押接してなるモータであり、この構成により、モータから発生した振動に対して、重り部材を自由振動させることにより、発生振動量を重り部材で吸収でき、発生振動量を抑えて、低騒音、低振動化が図れる。さらに、その発生振動の吸収はモータの回転数によらないため、モータを可変速等の複数速で使う場合にも適用できるという作用を有する。
【０００８】
請求項２に記載の発明は、モータの回転中心軸上でかつ、反出力側ブラケット底部に重り部材を配置した請求項１記載のモータであり、この構成により、前記重り部材はブラケット底部を封止する底板部材と共用でき、軸受にゴミ等の異物の進入を防ぐとともに、低コスト化が図れるという作用を有する。
【０００９】
請求項３に記載の発明は、重り部材には複数の突起または溝が設けられるとともに、重り部材の突起または溝の数がロータ極数とステータスロット数およびそれらの倍数と一致しないことを特徴とする請求項１から請求項２のいずれか１項に記載のモータであり、この構成により、たとえ一時的に重り部材が自由振動しない場合が起きても、重り部材の基本振動周波数がロータとステータのそれぞれの基本振動周波数と一致しないため、即座にロータとステータの振動数と切り離され、重り部材を自由振動できる状態にすることができ、信頼性を向上させることができるという作用を有する。
【００１０】
請求項４に記載の発明は、前記突起または溝をブラケットに形成したことを特徴とする請求項１から請求項３のいずれか１項に記載のモータであり、これにより、ブラケットを鋳造等で製作する場合に、低コスト化が図れるという作用を有する。
【００１１】
【実施例】
以下本発明の実施例について、図面を参照して説明する。
【００１２】
（実施例１）
図１において、シャフト１は軸受２および軸受３に回転自在に軸支され、さらに、軸受２および軸受３はブラケット４に挿入固定されている。ブラケット４の外周部には巻線が施されたステータ５が配置され、さらにステータ５の外周に対向して、マグネット６がボス７に固定され、さらに、ボス７はシャフト１に固定され、ステータ５とマグネット６で回転力を発生させている。また、ボス７には記録媒体であるディスク（図示しない）が載置される。さらに、ブラケット４の下方にはウエイト８がバネ９にて取り付けられ、さらにウエイト８とブラケット４とが、自在に動くようになっている。さらに、ウエイト天面には突起１０が配設され、ブラケット４と接している。
【００１３】
前記構成により、モータから発生した振動に対して、ウエイト８を自由振動させることにより、発生振動量をウエイト８で吸収でき、発生振動量を抑えて、低騒音、低振動化を図ることができる。
【００１４】
また、ウエイト天面の突起１０の数がロータ極数とステータスロット数およびそれらの倍数と一致しないよう配置されることにより、ウエイト８の基本振動周波数がロータとステータ５のそれぞれの基本振動周波数と一致していないことから、例えば一時的に、ウエイト８が自由振動しない状態に落入っても、即座にロータとステータ５の振動数と切り離され、ウエイト８が自由振動できる状態に回復させることができ、信頼性を向上させることができる。
【００１５】
なお、以上の説明では、ウエイト天面には突起を設けたが、溝を付けても同様の効果を得ることができる。また、前記突起や溝はブラケット側に設けてもよく、ブラケットをダイキャスト等の鋳造で作る場合に一体化でき、低コスト化で有利となる。ウエイトは回転軸上付近のブラケット底部に配置したが、この場合軸受部を封止する底板を兼ねることが可能となり、部品点数を減らせることができる。なお、当然のことながら、ウエイトを回転軸上からずれた位置に配置しても、負荷、回転数等の様々な使用条件を考慮すれば使用は可能であり、ウエイトの大きさ材質等も特に制約はなく、適宜使用することができる。
【００１６】
また、コア付きのアウターロータの例で説明したが、その他、コアレスタイプやインナーロータタイプについても同様に実施可能である。
【００１７】
【発明の効果】
前記実施例の記載から明らかなように、請求項１記載の発明によれば、モータの発生振動量を重り部材で吸収でき、発生振動量を抑えて、低騒音、低振動化が図れ、その発生振動の吸収はモータの回転数によらないため、モータを可変速等の複数速で使う場合にも適用できるという有利な効果が得られる。
【００１８】
また、請求項２記載の発明によれば、前記重り部材はブラケット底部を封止する底板部材と共用でき、軸受にゴミ等の異物の進入を防ぐとともに、低コスト化が図れる。
【００１９】
また、請求項３記載の発明によれば、一時的に重り部材が自由振動しない場合が起きても、重り部材の突起または溝の数により、基本振動周波数がロータとステータのそれぞれの基本振動周波数と一致しないため、即座にロータとステータの振動数と切り離され、重り部材を自由振動できる状態にすることができ、信頼性を向上させることができる。
【００２０】
さらに、請求項４記載の発明によれば、前記突起または溝をブラケットを鋳造等で製作する場合に、低コスト化が図れるという効果を奏するものである。
【図面の簡単な説明】
【図１】（ａ）は本発明の実施例１によるモータを示す縦断面図
（ｂ）は本発明の実施例１によるモータの部品上面図
【図２】従来のモータの縦断面図
【符号の説明】
１　シャフト
２、３　軸受
４　ブラケット
５　ステータ
６　マグネット
７　ボス
８　ウエイト
９　バネ
１０　突起
【図１】
2004015954.tif 000003
【図２】
2004015954.tif 000004